(57)【要約】【課題】  タイムラプス機能とオートブラケット機能を組み合わせて撮影画像を取得できる技術が既に知られている。しかしながら、取得した撮影画像からタイムラプス動画を作成したい場合、ブラケット設定ごとに画像を仕分けして動画に変換しなければならず、わずらわしい。【解決手段】タイムラプス機能とオートブラケット機能とが同時に設定された場合に、１コマへの撮影を、前記設定した複数のブラケット設定に従って順次撮影を行なうとともに、この撮影を、前記タイムラプス機能で設定した撮影間隔時間をおいて、前記タイムラプス機能で設定した回数に相当するコマ数に繰り返して行ない、前記ブラケット設定ごとのタイムラプス動画を別々に生成する。【選択図】  図２
2018033058.tif 000002
【特許請求の範囲】
【請求項１】
画素が２次元に配置された撮像素子（１０５）と、
前記撮像素子に被写体の像を結像させるレンズユニット（２００）と、
各部の制御を行なうシステム制御手段（１０１）と、
撮影やレンズ駆動その他各機能が割り当てられた入力手段（１０８）と、
予め定められた撮影間隔時間で予め定められた撮影回数に相当するコマ数への撮影が可能なタイムラプス撮影機能と、
前記撮影した複数の静止画像を複数のフレームとして持つタイムラプス動画生成機能と、
１コマに予め設定した複数の撮影条件で順次撮影が可能なオートブラケット撮影機能と、
を有するカメラであって、
前記タイムラプス撮影機能とオートブラケット撮影機能とが同時に設定された場合には、
前記各オートブラケット撮影機能で設定された条件に従って順に行なう撮影を、
前記タイムラプス撮影機能で設定した撮影間隔時間をおいて、
前記タイムラプス撮影機能で設定した回数に相当するコマ数に繰り返して行ない、
前記オートブラケット撮影機能で設定された条件ごとのタイムラプス動画を生成することを特徴とするカメラ。
【請求項２】
前記カメラにおいて、
前記タイムラプス撮影機能とオートブラケット撮影機能とか同時に設定された場合には、
前記タイムラプス撮影機能で設定した撮影間隔時間と前記各オートブラケット撮影機能で設定された条件に従って順に行なう撮影にかかる所要時間とを比較し、
前記撮影間隔時間の方が短い場合はエラー表示を行なうこと
を特徴とする請求項１に記載のカメラ。
【請求項３】
前記カメラにおいて、
前記タイムラプス撮影機能で設定した撮影間隔時間と前記各オートブラケット撮影機能で設定された条件に従って順に行なう撮影にかかる所要時間とを比較し、
前記撮影間隔時間の方が短い場合は、前記撮影間隔時間を前記所要時間よりも長い時間に延ばすこと
を特徴とする請求項１に記載のカメラ。
【請求項４】
前記カメラにおいて、
前記オートブラケット撮影機能で設定された条件ごとのフォルダを内蔵あるいは外部メディアに作成を行ない、
前記各オートブラケット撮影機能で設定された条件に従って順に行なう撮影で取得した撮影画像を、
前記作成した前記ブラケット設定ごとのフォルダに保存すること
を特徴とする請求項１乃至３のいずれか１項に記載のカメラ。
【請求項５】
前記カメラにおいて、
前記オートブラケット撮影機能として、フォーカスレンズを予め定められた複数ポイントに駆動することを特徴とする請求項１乃至４のいずれか１項に記載のカメラ。
【請求項６】
前記カメラにおいて、
前記オートブラケット撮影機能として、ズームレンズを予め定められた複数ポイントに駆動することを特徴とする請求項１乃至４のいずれか１項に記載のカメラ。
【請求項７】
前記カメラにおいて、
前記オートブラケット撮影機能として、ＡＥ目標設定値を予め定められた複数の値に設定することを特徴とする請求項１乃至４のいずれか１項に記載のカメラ。
【請求項８】
前記カメラにおいて、
前記オートブラケット撮影機能として、シャッタースピード設定を予め定められた複数の値に設定することを特徴とする請求項１乃至４のいずれか１項に記載のカメラ。
【請求項９】
前記カメラにおいて、
前記オートブラケット撮影機能として、被写界深度設定を予め定められた複数の値に設定することを特徴とする請求項１乃至４のいずれか１項に記載のカメラ。
【請求項１０】
前記カメラにおいて、
前記オートブラケット撮影機能として、ＩＳＯ感度設定を予め定められた複数の値に設定することを特徴とする請求項１乃至４のいずれか１項に記載のカメラ。
【請求項１１】
前記カメラにおいて、
前記オートブラケット撮影機能として、ホワイトバランス設定を予め定められた複数の値に設定することを特徴とする請求項１乃至４のいずれか１項に記載のカメラ。
【請求項１２】
前記カメラにおいて、
前記オートブラケット撮影機能として、撮影画像の色調をモノクロやセピアに処理するカラー設定を予め定められた複数の値に設定することを特徴とする請求項１乃至４のいずれか１項に記載のカメラ。
【請求項１３】
前記カメラにおいて、
前記オートブラケット撮影機能として、請求項５乃至請求項１２のいずれか１項に記載の設定を組み合わせて設定することを特徴とする請求項１乃至４のいずれか１項に記載のカメラ。
【請求項１４】
画素が２次元に配置された撮像素子（１０５）と、
前記撮像素子に被写体の像を結像させるレンズユニット（２００）と、
各部の制御を行なうシステム制御手段（１０１）と、
撮影やレンズ駆動その他各機能が割り当てられた入力手段（１０８）と、
予め定められた撮影間隔時間で予め定められた撮影回数に相当するコマ数への撮影が可能なタイムラプス撮影機能と、
前記撮影した複数の静止画像を複数のフレームとして持つタイムラプス動画生成機能と、
１コマに予め設定した複数の撮影条件で順次撮影が可能なオートブラケット撮影機能と、
を有するカメラであって、
前記タイムラプス撮影機能とオートブラケット撮影機能とが同時に設定された場合には、
前記各オートブラケット撮影機能で設定された条件に従って順に行なう撮影を、
前記タイムラプス撮影機能で設定した撮影間隔時間をおいて、
前記タイムラプス撮影機能で設定した回数に相当するコマ数に繰り返して行ない、
前記オートブラケット撮影機能で設定された条件ごとのタイムラプス動画を生成することを特徴とするカメラを駆動する方法。
【請求項１５】
前記カメラにおいて、
前記タイムラプス撮影機能とオートブラケット撮影機能とか同時に設定された場合には、
前記タイムラプス撮影機能で設定した撮影間隔時間と前記各オートブラケット撮影機能で設定された条件に従って順に行なう撮影にかかる所要時間とを比較し、
前記撮影間隔時間の方が短い場合はエラー表示を行なうこと
を特徴とする請求項１４に記載のカメラを駆動する方法。
【請求項１６】
前記カメラにおいて、
前記タイムラプス撮影機能で設定した撮影間隔時間と前記各オートブラケット撮影機能で設定された条件に従って順に行なう撮影にかかる所要時間とを比較し、
前記撮影間隔時間の方が短い場合は、前記撮影間隔時間を前記所要時間よりも長い時間に延ばすこと
を特徴とする請求項１４に記載のカメラを駆動する方法。
【請求項１７】
前記カメラにおいて、
前記オートブラケット撮影機能で設定された条件ごとのフォルダを内蔵あるいは外部メディアに作成を行ない、
前記各オートブラケット撮影機能で設定された条件に従って順に行なう撮影で取得した撮影画像を、
前記作成した前記ブラケット設定ごとのフォルダに保存すること
を特徴とする請求項１４乃至１６のいずれか１項に記載のカメラ。
【請求項１８】
前記カメラにおいて、
前記オートブラケット撮影機能として、フォーカスレンズを予め定められた複数ポイントに駆動することを特徴とする請求項１４乃至１７のいずれか１項に記載のカメラを駆動する方法。
【請求項１９】
前記カメラにおいて、
前記オートブラケット撮影機能として、ズームレンズを予め定められた複数ポイントに駆動することを特徴とする請求項１４乃至１７のいずれか１項に記載のカメラを駆動する方法。
【請求項２０】
前記カメラにおいて、
前記オートブラケット撮影機能として、ＡＥ目標設定値を予め定められた複数の値に設定することを特徴とする請求項１４乃至１７のいずれか１項に記載のカメラを駆動する方法。
【請求項２１】
前記カメラにおいて、
前記オートブラケット撮影機能として、シャッタースピード設定を予め定められた複数の値に設定することを特徴とする請求項１４乃至１７のいずれか１項に記載のカメラを駆動する方法。
【請求項２２】
前記カメラにおいて、
前記オートブラケット撮影機能として、被写界深度設定を予め定められた複数の値に設定することを特徴とする請求項１４乃至１７のいずれか１項に記載のカメラを駆動する方法。
【請求項２３】
前記カメラにおいて、
前記オートブラケット撮影機能として、ＩＳＯ感度設定を予め定められた複数の値に設定することを特徴とする請求項１４乃至１７のいずれか１項に記載のカメラを駆動する方法。
【請求項２４】
前記カメラにおいて、
前記オートブラケット撮影機能として、ホワイトバランス設定を予め定められた複数の値に設定することを特徴とする請求項１４乃至１７のいずれか１項に記載のカメラを駆動する方法。
【請求項２５】
前記カメラにおいて、
前記オートブラケット撮影機能として、撮影画像の色調をモノクロやセピアに処理するカラー設定を予め定められた複数の値に設定することを特徴とする請求項１４乃至１７のいずれか１項に記載のカメラを駆動する方法。
【請求項２６】
前記カメラにおいて、
前記オートブラケット撮影機能として、請求項５乃至請求項１２のいずれか１項に記載の設定を組み合わせて設定することを特徴とする請求項１４乃至１７のいずれか１項に記載のカメラを駆動する方法。
【請求項２７】
画素が２次元に配置された撮像素子（１０５）と、
前記撮像素子に被写体の像を結像させるレンズユニット（２００）と、
各部の制御を行なうシステム制御手段（１０１）と、
撮影やレンズ駆動その他各機能が割り当てられた入力手段（１０８）と、
予め定められた撮影間隔時間で予め定められた撮影回数に相当するコマ数への撮影が可能なタイムラプス撮影機能と、
前記撮影した複数の静止画像を複数のフレームとして持つタイムラプス動画生成機能と、
１コマに予め設定した複数の撮影条件で順次撮影が可能な複数条件撮影機能と、
を有するカメラであって、
前記タイムラプス撮影機能と前記複数条件撮影機能とが同時に設定された場合には、
前記複数条件撮影機能で設定された条件に従って順に行なう撮影を、
前記タイムラプス撮影機能で設定した撮影間隔時間をおいて、
前記タイムラプス撮影機能で設定した回数に相当するコマ数に繰り返して行ない、
前記オートブラケット撮影機能で設定された条件ごとのタイムラプス動画を生成し、
前記複数条件撮影機能は、予め設定したシャッタースピードを用いる第１の撮影動作と撮影時に測光動作を行って決定したシャッタースピードを用いる第２の撮影動作を含み、
前記第１の撮影動作を前記第２の撮影動作より先に行うことを特徴とするカメラ。
【請求項２８】
画素が２次元に配置された撮像素子（１０５）と、
前記撮像素子に被写体の像を結像させるレンズユニット（２００）と、
各部の制御を行なうシステム制御手段（１０１）と、
撮影やレンズ駆動その他各機能が割り当てられた入力手段（１０８）と、
予め定められた撮影間隔時間で予め定められた撮影回数に相当するコマ数への撮影が可能なタイムラプス撮影機能と、
前記撮影した複数の静止画像を複数のフレームとして持つタイムラプス動画生成機能と、
１コマに予め設定した複数の撮影条件で順次撮影が可能な複数条件撮影機能と、
を有するカメラであって、
前記タイムラプス撮影機能とオートブラケット撮影機能とが同時に設定された場合には、
前記各オートブラケット撮影機能で設定された条件に従って順に行なう撮影を、
前記タイムラプス撮影機能で設定した撮影間隔時間をおいて、
前記タイムラプス撮影機能で設定した回数に相当するコマ数に繰り返して行ない、
前記オートブラケット撮影機能で設定された条件ごとのタイムラプス動画を生成し、
前記複数条件撮影機能は、予め設定したシャッタースピードを用いる第１の撮影動作と撮影時に測光動作を行って決定したシャッタースピードを用いる第２の撮影動作を含み、
前記第１の撮影動作を前記第２の撮影動作より先に行うことを特徴とするカメラを駆動する方法。
【請求項２９】
請求項１乃至２８のいずれか１項に記載のコンピュータに実行させるプログラム。
【発明の詳細な説明】
【技術分野】
【０００１】
本発明は、タイムラプス撮影機能、タイムラプス動画生成機能、オートブラケット撮影機能等の撮影モードを設定可能なカメラに関する。
【背景技術】
【０００２】
従来カメラにおいて、設定された所定間隔時間ごとに所定回数の撮影を行なうタイムラプス機能や、前記タイムラプス機能によって順次取得した撮影画像を複数のフレームとして持つタイムラプス動画生成機能、レリーズ操作に伴って複数の露出段差をもって１回で複数コマの撮影を行えるAEブラケット機能や、同様に複数のフォーカス位置に合わせた撮影を行なえるAFブラケット機能等の技術が既に知られている。上記機能は、使用者が被写体や撮影条件に合わせて任意に設定している。
【０００３】
しかし、従来のカメラにおいて上記タイムラプス撮影を行なう時に、上記AEブラケット等の複数コマ撮影を行なう機能を組み合わせて設定することは出来なかった。
【０００４】
この問題を解決する手段として、特許文献１では、一コマに任意の間隔時間をおいて任意の回数の多重露出による撮影を行ったり、同一コマに任意の間隔時間をおいて任意の露出段数と露出回数の多重露出による撮影を行ったりする技術が提案されている。
【先行技術文献】
【特許文献】
【０００５】
【特許文献１】特開平１１−２１２１３９号公報
【発明の概要】
【発明が解決しようとする課題】
【０００６】
しかしながら、特許文献１に開示された従来技術では、タイムラプス撮影の１回の撮影ごとにたとえばAEブラケット機能によって露出値を所定量ずつずらした複数枚の撮影画像を取得可能になるが、前記撮影画像からタイムラプス動画を生成するには露出段差ごとに撮影画像を仕分けしなければならず、使用者操作がわずらわしい。
【０００７】
そこで本発明は、上記課題を鑑みてなされたものであり、タイムラプス撮影に組み合わせて設定されたオートブラケット撮影機能の撮影条件ごとにタイムラプス動画を自動で生成するカメラを提供することを目的とする。
【課題を解決するための手段】
【０００８】
上記課題を解決するために本発明に係るカメラは、
予め設定した所定間隔時間をおいて予め設定した撮影回数に相当するコマ数への撮影が可能なタイムラプス機能と、
タイムラプス機能によって順次取得した撮影画像を複数のフレームとして持つタイムラプス動画を生成する手段と、
予め設定した複数の撮影条件設定の数の撮影を行なうオートブラケット機能と、
を有するカメラであって、
タイムラプス機能とオートブラケット機能とが同時に設定された場合に、１コマへの撮影を、前記設定した複数のブラケット設定に従って順次撮影を行なうとともに、この撮影を、前記タイムラプス機能で設定した撮影間隔時間をおいて、前記タイムラプス機能で設定した回数に相当するコマ数に繰り返して行ない、
前記ブラケット設定ごとのタイムラプス動画を別々に生成することを特徴とする。
【発明の効果】
【０００９】
本発明によれば、同期間における任意にブラケット設定を変えたそれぞれのタイムラプス動画を同時に使用者に提供することが可能となる。
【図面の簡単な説明】
【００１０】
【図１】本発明の第１の実施形態におけるカメラの概要図である。
【図２】第１の実施形態における概略図である。
【図３】第１の実施形態における制御フローチャートである。
【図４】第２の実施形態における制御フローチャートである。
【図５】第３の実施形態におけるフローチャートである。
【図６】第４の実施形態におけるフローチャートである。
【発明を実施するための形態】
【００１１】
［第１の実施形態］
本発明の第１の実施形態は、タイムラプス撮影機能とフォーカスブラケット機能を組み合わせて１コマに複数の撮影画像を取得し、フォーカスポイントごとの複数のタイムラプス動画の生成を行なうものである。
【００１２】
図１は、本発明の第１の実施形態における、カメラの概要図である。図１において、カメラは、カメラ本体（１００）とレンズ部（２００）で構成される。レンズ（２００）は、複数種類のカメラ本体に着脱可能に構成されていてもよい。まず、カメラ本体（１００）の構成について説明する。
【００１３】
カメラマイコン（１０１）は、カメラ本体（１００）の各部を制御するマイクロコンピュータである。カメラ本体（１００）に電池（１０２）が装着されると、カメラ電源回路（１０３）からカメラマイコン（１０１）に電源が供給され、不図示の電源スイッチがＯＮされると、カメラマイコン（１０１）の制御により、各部へ電源が供給される。
【００１４】
カメラマイコン（１０１）は、レンズ部（２００）内のレンズマイコン（２０１）と通信し、レンズ（２００）のズーム位置（焦点距離情報）、距離環位置（被写体距離情報）等のレンズ情報を取得可能である。また、カメラマイコン（１０１）は、レンズマイコン（２０１）との通信が可能かどうかを判断して、カメラ本体（１００）に対するレンズ（２００）の装着状態を判定することが可能である。シャッター（１０４）は、カメラマイコン（１０１）の制御で撮像素子（１０５）の露光時間を自由に制御する。
【００１５】
撮像素子（１０５）は、レンズ部（２００）によって結像された被写体像を光電変換して画像信号として出力する。ＡＤ変換ブロック（１０６）は、撮像素子（１０５）から入力されたアナログの画像出力信号をデジタル信号に変換する。この際、設定されているＩＳＯ感度に応じた変換を行なう。
【００１６】
画像処理ブロック（１０７）は、静止画撮影時に、デジタル化された画像データに対してフィルタ処理や色変換処理、ガンマー／ニー処理を行なう。また、画像処理ブロック（１０７）は、ＡＤ変換ブロック（１０６）から入力される映像信号にホワイトバランス処理を施し、表示部（１１０）に出力する。また、画像処理ブロック（１０７）は、ＪＰＥＧなどの圧縮処理機能も有する。連写モードの場合は、画像データが不図示のバッファメモリに一時格納され、未処理の画像データがバッファメモリから読み出されて、画像処理ブロック（１０７）で画像処理や圧縮処理が行なわれる。そのため、連写枚数は、バッファメモリの記憶容量や記憶速度に左右される。
【００１７】
一方、動画撮影準備時には、画像処理ブロック（１０７）は、画像処理等を行ないながら動画データを表示部（１１０）に送信して表示させる。動画記録時には、動画データが外部メモリ（１０９）に記憶される。
【００１８】
カメラマイコン（１０１）は、撮影前に設定されているＩＳＯ感度、画像サイズ、画質に応じた画像サイズの予測値データを基に、外部メモリ（１０９）の記憶容量を確認する。そして、カメラマイコン（１０１）は、撮影可能枚数や動画記録可能な時間を演算し、表示部（１１０）に表示する。
【００１９】
入力手段（１０８）は、レリーズボタン等を備え、使用者の操作を受け付けて操作情報をカメラマイコン（１０１）に送信する。カメラマイコン（１０１）は、入力手段（１０８）からの操作情報に応じて各部を制御して、撮影等の各種機能が実現される。例えば、入力手段（１０８）上の不図示のレリーズボタンが半押し状態（ＳＷ１がＯＮ）になると、カメラマイコン（１０１）が各部を制御して撮影準備動作等が行なわれる。そして、レリーズボタンが全押し状態（ＳＷ２がＯＮ）になると、カメラマイコン（１０１）が各部を制御して撮影動作が行なわれる。
【００２０】
入力手段（１０８）には、レリーズボタンの他に、ＩＳＯ設定ボタン、画像サイズ設定ボタン、画質設定ボタン、情報表示ボタンなどスイッチ類が配置されており、カメラマイコン（１０１）によりスイッチの状態が検出されている。表示部（１１０）は、カメラマイコン（１０１）の表示命令に従って画像表示を行なう。表示部（１１０）には不図示のＬＥＤなどのバックライトが配置されている。
【００２１】
次にレンズ（２００）内の構成について説明する。レンズマイコン（２０１）は、レンズ（２００）の各部の動作を制御するマイクロコンピュータである。レンズ電源回路（２０３）は、カメラ本体（１００）とのコネクタ（１２０）を介して電源供給を受け、レンズマイコン（２０１）の制御によりレンズ（２００）内の各部へ電源を供給する。
【００２２】
撮影レンズ（２０２）は、フォーカスレンズを含む複数のレンズで構成される。レンズ駆動回路（２０６）は、例えばステッピングモータによって構成され、レンズマイコン（２０１）の制御によって撮影レンズ（２０２）におけるフォーカスレンズの位置を変化させることによりピントを合わせる。
【００２３】
あるいは、レンズ（２００）はパワーズームレンズであり、レンズ駆動回路（２０６）はレンズマイコン（２０１）の制御によってズームレンズ群を駆動することによりズーム動作を行なう。
【００２４】
絞り駆動回路（２０５）は、レンズマイコン（２０１）からの制御信号に応じて絞り（２０４）を変化させる。レンズマイコン（２０１）は、検出された測光値に対応する制御データをカメラマイコン（１０１）から受信し、絞り駆動回路（２０５）に制御信号を出力する。
【００２５】
図２は、本実施形態におけるタイムラプス撮影機能とオートブラケット撮影機能を組み合わせて複数のタイムラプス動画を生成する時の概略図である。まず使用者によりフォーカスブラケット設定が行なわれる。使用者はまず被写体１にフォーカスを合わせ、所定のカメラのブラケット設定方法に従い、フォーカスブラケット設定１としてセットする。カメラマイコン（１０１）は、レンズマイコン（２０１）との通信により、現在のフォーカスレンズ駆動位置を不図示の記憶手段にフォーカスブラケット設定１として記憶する。
【００２６】
次に使用者は被写体２にフォーカスを合わせ、前記同様にフォーカスブラケット設定２としてセットする。カメラマイコン（１０１）は、前記同様にフォーカスレンズ駆動位置を不図示の記憶手段にフォーカスブラケット設定２として記憶する。
【００２７】
上記動作を、所望の被写体に対して同様に行ない、フォーカスブラケット設定を終了する。
【００２８】
図３は、本実施形態におけるカメラマイコン（１０１）の処理フローチャートである。カメラマイコン（１０１）は、予め撮影間隔時間と撮影コマ数を使用者により任意にセットされたタイムラプス撮影機能と、前記設定されたフォーカスブラケット機能とが共にセットされた状態で撮影命令を受けるとタイムラプス撮影モードを開始し（Ｓ３０１）、現在の設定を表わす内部プログラム上の記号Ｎに１をセットする（Ｓ３０２）。
【００２９】
次にカメラマイコン（１０１）は、前記撮影間隔時間を内蔵タイマーにセットし（Ｓ３０３）、前記記憶手段から読み出したブラケット設定Ｎに従って、レンズマイコン（２０１）に通信を行ない、フォーカスレンズを駆動し（Ｓ３０４）、撮影を行なう（Ｓ３０５）。
【００３０】
カメラマイコン（１０１）は、現在の設定数Ｎが前記記憶手段に記憶されている設定数と同じであるかを判定し（Ｓ３０６）、設定数が同じでない場合は、Ｎに１を加算し（Ｓ３０９）、Ｓ３０４へ戻る。
【００３１】
Ｓ３０６で設定数が同じであった場合は、現在の撮影コマ数が前記予め設定された撮影コマ数と同じであるかを判定し（Ｓ３０７）、コマ数が同じでない場合は、Ｓ３０３でセットしたタイマー時間が経過するまでｗａｉｔし（Ｓ３１０）、Ｓ３０２へ戻る。
Ｓ３０７でコマ数が同じであった場合は、タイムラプス撮影モードを終了する（Ｓ３０９）。
【００３２】
タイムラプス撮影モードが終了すると、前記設定数Ｎに１をセットする（Ｓ３１１）。次にカメラマイコン（１０１）は、設定数Ｎの撮影画像を所定のフレームとして持つタイムラプス動画を生成し（Ｓ３１２）、現在の設定数Ｎが前記記憶手段に記憶されている設定数と同じであるかを判定し（Ｓ３１３）、設定数が同じでない場合、Ｎに１を加算し（Ｓ３１４）、Ｓ３１２へ戻る。Ｓ３１３で設定数が同じであった場合は、一連の処理を終了する。
【００３３】
上記では、フォーカスレンズの位置を複数記憶し、撮影時に前記複数のフォーカスレンズ位置で順次撮影画像を取得するフォーカスブラケット撮影についての例を挙げたが、同様に、パワーズームレンズを用いて複数のズーム位置で撮影画像を取得するズームブラケット撮影や、絞り設定、露出設定、ホワイトバランス設定、撮影画像の色調を例えばモノクロやセピア等に処理するカラー設定、シャッタースピード設定、ＩＳＯ感度設定等を複数設定したブラケット撮影でもよい。
【００３４】
このように、第１の実施形態によれば、タイムラプス撮影機能とオートブラケット撮影機能を組み合わせて撮影を行ない、ブラケット撮影の条件ごとのタイムラプス動画を生成することにより、同期間における違った条件でのタイムラプス動画を使用者に提供可能となる。
【００３５】
しかし、ブラケット撮影条件数が増えるに従って１コマの撮影にかかる時間は延びるため、設定されたタイムラプス撮影間隔時間が短い場合は全条件の撮影が終わらない可能性がある。そこでブラケット撮影条件数に応じたタイムラプス撮影間隔時間の制限について第２の実施形態にて説明する。
【００３６】
［第２の実施形態］
本発明の第２の実施形態は、タイムラプス撮影機能とフォーカスブラケット機能を組み合わせて１コマに複数の撮影画像を取得し、フォーカスポイントごとの複数のタイムラプス動画の生成を行なうものであり、前記ブラケット機能の設定数に応じてタイムラプス撮影の間隔時間に制限を設けるものである。なお、第２の実施形態におけるカメラの構成、レンズの構成、一般動作は第１の実施形態における図１と同じであるため、説明は省略する。
【００３７】
図２の概略図において、第１の実施形態と同様にフォーカスブラケット設定を行なわれた状態で、撮影間隔時間と撮影コマ数を使用者により任意にセットされたタイムラプス撮影機能と、前記設定されたフォーカスブラケット機能とが共にセットされると、カメラマイコン（１０１）は図４のフローチャートに従って撮影準備を行なう。
【００３８】
まずカメラマイコン（１０１）は、前記ブラケット設定された数から全設定の撮影にかかる時間を次式から算出する（Ｓ４０１）。
（１枚の撮影に要する時間＋所定のフォーカスレンズ駆動時間）×設定数
・・・（１）
次に、前記タイムラプス機能で設定された撮影間隔時間と前記式（１）で算出した時間との比較を行ない、前記撮影間隔時間の方が長い場合はそのまま撮影命令の待機状態となり（Ｓ４０３）、撮影準備を終了する。
【００３９】
Ｓ４０２で前記撮影間隔時間の方が短い場合は、表示部（１１０）にエラー表示を行なう（Ｓ４０４）。
【００４０】
このとき、使用者によるカメラ設定に応じて、自動的に前記撮影間隔時間を前記式（１）で算出した時間よりも長くなるように延長してもよい。その際、前記撮影間隔時間に変更があったことを、表示部（１１０）に表示するようにしてもよい。
【００４１】
その後、カメラマイコン（１０１）は、前記タイムラプス撮影機能と、前記フォーカスブラケット機能とが共にセットされた状態で撮影命令を受けると、タイムラプス撮影モードを開始する。
【００４２】
第２の実施形態におけるタイムラプス撮影モードのカメラマイコン（１０１）の処理は、第１の実施形態における図３と同じであるため、説明は省略する。
【００４３】
上記では、フォーカスレンズの位置を複数記憶し、撮影時に前記複数のフォーカスレンズ位置で順次撮影画像を取得するフォーカスブラケット撮影についての例を挙げたが、同様に、パワーズームレンズを用いて複数のズーム位置で撮影画像を取得するズームブラケット撮影や、絞り設定、露出設定、ホワイトバランス設定、撮影画像の色調を例えばモノクロやセピア等に処理するカラー設定、シャッタースピード設定、ＩＳＯ感度設定等を複数設定したブラケット撮影でもよい。
【００４４】
また上記では、ブラケット撮影条件の数に応じてタイムラプス撮影間隔時間を変更する例を挙げたが、タイムラプス撮影間隔時間に応じてブラケット撮影条件の設定可能数を制限するようにしてもよい。
【００４５】
このように、第２の実施形態によれば、タイムラプス撮影機能とオートブラケット撮影機能を組み合わせて撮影を行なう際、ブラケット撮影の全条件の撮影にかかる時間を考慮し、使用者に示すことにより、同期間における希望する全条件でのタイムラプス動画を確実に使用者に提供可能となる。
【００４６】
［第３の実施形態］
本発明の第３の実施形態は、タイムラプス撮影機能とフォーカスブラケット機能を組み合わせて１コマに複数の撮影画像を取得し、フォーカスポイントごとの複数のタイムラプス動画の生成を行なうものであり、各ブラケット設定での取得撮影画像保存フォルダを外部メモリ（１０９）内に作成し、前記各ブラケット設定で取得した撮影画像を前記作成したフォルダに振り分けて保存するものである。なお、第３の実施形態におけるカメラの構成、一般動作は第１の実施形態における図１と同じであるため、説明は省略する。
【００４７】
図５は、本実施形態におけるカメラマイコン（１０１）の処理フローチャートである。カメラマイコン（１０１）は、予め撮影間隔時間と撮影コマ数を使用者により任意にセットされたタイムラプス撮影機能と、前記設定されたフォーカスブラケット機能とが共にセットされた状態で撮影命令を受けるとタイムラプス撮影モードを開始し（Ｓ５０１）、前記各ブラケット設定に対応した撮影画像保存フォルダを外部メモリ（１０９）に作成する（Ｓ５０２）。
【００４８】
次にカメラマイコン（１０１）は、現在のブラケット設定を表わす内部プログラム上の記号Ｎに１をセットし（Ｓ５０３）、また前記撮影間隔時間を内蔵タイマーにセット（Ｓ５０４）すると、前記記憶手段から読み出したブラケット設定Ｎに従って、レンズマイコン（２０１）に通信を行ない、フォーカスレンズを駆動して（Ｓ５０５）、撮影を行なう（Ｓ５０６）。
【００４９】
Ｓ５０６で取得した撮影画像は、Ｓ５０２で作成した現在のブラケット設定Ｎに対応したフォルダに保存する（Ｓ５０７）。カメラマイコン（１０１）は、現在の設定数Ｎが前記記憶手段に記憶されている設定数と同じであるかを判定し（Ｓ５０８）、設定数が同じでない場合は、Ｎに１を加算し（Ｓ５１０）、Ｓ５０５へ戻る。
【００５０】
Ｓ５０８で設定数が同じであった場合は、現在の撮影コマ数が前記予め設定された撮影コマ数と同じであるかを判定し（Ｓ５０９）、コマ数が同じでない場合は、Ｓ５０４でセットしたタイマー時間が経過するまでｗａｉｔし（Ｓ５１１）、Ｓ５０３へ戻る。Ｓ５０９でコマ数が同じであった場合は、タイムラプス撮影モードを終了する（Ｓ５１２）。タイムラプス撮影モードが終了すると、前記設定数Ｎに１をセットする（Ｓ５１３）。
【００５１】
次にカメラマイコン（１０１）は、設定数Ｎの撮影画像を所定のフレームとして持つタイムラプス動画を生成し（Ｓ５１４）、現在の設定数Ｎが前記記憶手段に記憶されている設定数と同じであるかを判定し（Ｓ５１５）、設定数が同じでない場合、Ｎに１を加算し（Ｓ５１６）、Ｓ５１４へ戻る。Ｓ５１５で設定数が同じであった場合は、一連の処理を終了する。
【００５２】
上記では、フォーカスレンズの位置を複数記憶し、撮影時に前記複数のフォーカスレンズ位置で順次撮影画像を取得するフォーカスブラケット撮影についての例を挙げたが、同様に、パワーズームレンズを用いて複数のズーム位置で撮影画像を取得するズームブラケット撮影や、絞り設定、露出設定、ホワイトバランス設定、撮影画像の色調を例えばモノクロやセピア等に処理するカラー設定、シャッタースピード設定、ＩＳＯ感度設定等を複数設定したブラケット撮影でもよい。
【００５３】
このように、第３の実施形態によれば、タイムラプス撮影機能とオートブラケット撮影機能を組み合わせて撮影を行ない、ブラケット撮影の条件ごとのタイムラプス動画を生成することにより、同期間における違った条件でのタイムラプス動画を使用者に提供可能となるとともに、各ブラケット設定での画像を振り分けて保存することにより、画像検索や取り出しがしやすくなり、非常に便利になる。
【００５４】
［第４の実施形態］
本発明の第４の実施形態は、タイムラプス撮影機能において露出方式の異なる複数の撮影を行い、各撮影のタイムラプス動画の生成を行うものである。ここでいう露出方式とは、適露出と固定露出を指すものとする。
【００５５】
適露出は、カメラが測光動作を行って露出を決定する露出方式であり、その時決定される露出について、本実施形態ではシャッタースピードが含まれるものとする。また固定露出は、使用者が予め任意の露出を設定する露出方式であり、その時に設定される露出について、本実施形態ではシャッタースピードが含まれるものとする。
【００５６】
なお、第４の実施形態におけるカメラの構成、一般動作は第１の実施形態における図１と同じであるため、説明は省略する。
【００５７】
図６は、本実施形態におけるカメラマイコン（１０１）の処理フローチャートである。カメラアイコン（１０１）は、予め撮影間隔時間と撮影コマ数を使用者により任意にセットされたタイムラプス撮影機能と、前記設定された露出方式とが共にセットされた状態で、撮影命令を受けるとタイムラプス撮影モードを開始する（Ｓ６０１）。
次にカメラマイコン（１０１）は、前記各露出方式の撮影順序を決定する（Ｓ６０２）。Ｓ６０２の詳細は後述で説明する。
【００５８】
次にカメラマイコン（１０１）は、現在の露出方式設定を表す内部プログラム上の記号Ｎに１をセットし（Ｓ６０３）、また前記撮影間隔時間を内蔵タイマーにセット（Ｓ６０４）すると、前記記憶手段から読みだした露出方式設定Ｎに従って、レンズマイコン（２０１）に通信を行い、フォーカスレンズを駆動して（Ｓ６０５）、撮影を行う（Ｓ６０６）。
【００５９】
カメラマイコン（１０１）は、現在の設定数Ｎが前記記憶手段に記憶されている設定数と同じであるかを判定し（Ｓ６０８）、設定数が同じでない場合は、Ｎに１を加算し（Ｓ６１０）、Ｓ６０５へ戻る。
【００６０】
Ｓ６０８で設定数が同じであった場合は、現在の撮影コマ数が前記予め設定された撮影コマ数と同じであるかを判定し（Ｓ６０９）、コマ数が同じでない場合は、Ｓ６０４でセットしたタイマー時間が経過するまでwaitし（Ｓ６１１）、Ｓ６０３へ戻る。Ｓ６０９でコマ数が同じであった場合は、タイムラプス撮影モードを終了する（Ｓ６１２）。タイムラプス撮影モードが終了すると、前記設定数Ｎに１をセットする（Ｓ６１３）。
【００６１】
次にカメラマイコン（１０１）は、設定数Ｎの撮影画像を所定のフレームとして持つタイムラプス動画を生成し（Ｓ６１４）、現在の設定数Ｎが前記記憶手段に記憶されている設定数と同じであるかを判定し（Ｓ６１５）、設定数が同じでない場合、Ｎに１を加算し（Ｓ６１６）、Ｓ６１４へ戻る。Ｓ６１５で設定数が同じであった場合は、一連の処理を終了する。
【００６２】
ここで、Ｓ６０２について説明する。タイムラプス撮影機能は、一定間隔で指定回数分だけ撮影された撮影画像から動画像を作製する機能であるため、本発明のようにレリーズ指示毎に複数回の撮影を行う場合も、動画像作製に使用する各撮影画像が一定の撮影時間間隔で撮影されたものであることが望ましい。
【００６３】
しかしながら前記適露出は、前記レリーズ指示を受けてからカメラが測光動作を行ってシャッタースピードを決定するため、前記N＝１が適露出の場合にN＝２以降の撮影タイミングが前後し、前記各撮影画像の撮影時間間隔が一定にならないことが考えられる。
【００６４】
従って、前記レリーズ指示を受けてから撮影を行う複数回のうち、前記固定露出を前記適露出より先に行うことで、前記各撮影画像の撮影時間間隔を一定に保ち易くなる。
【００６５】
このように、第４の実施形態によれば、前記固定露出のようなシャッタースピード固定の露出方式撮影を前記適露出のようなシャッタースピード未定の露出方式撮影よりも先に行うことにより、前記撮影間隔時間を一定に保ち易くし、使用者の意図により近いタイムラプス動画を使用者に提供可能になる。
【００６６】
以上、本発明の好ましい実施形態について説明したが、本発明はこれらの実施形態に限定されず、その要旨の範囲内で種々の変形及び変更が可能である。
【００６７】
（その他の実施例）
上述した第１、第２の実施形態にかかわるカメラを実現する為に実行するプログラムは、半導体メモリ、磁気ディスク、フロッピー（登録商標）ディスク等の記録媒体により供給される。または、有線あるいは、無線のネットワークを介してダウンロードしても良い。上記プログラムを、システムあるいはコンピュータが実行することにより、本発明の目的は達成される。よって、上述の実施形態の機能を実現するプログラム自体も本発明の一つである。
【符号の説明】
【００６８】
１００  カメラ本体
１０１  カメラマイコン
１０９  外部メモリ
１１０  表示部
２００  レンズ
２０１  レンズマイコン
２０６  レンズ駆動回路
【図１】
2018033058.tif 000003
【図２】
2018033058.tif 000004
【図３】
2018033058.tif 000005
【図４】
2018033058.tif 000006
【図５】
2018033058.tif 000007
【図６】
2018033058.tif 000008